(57)【要約】【課題】幅寸法の大幅な増加を招くことなく複数の収納ポケットを配置することのできる小切手収納部を備えた小切手処理装置を提案すること。【解決手段】小切手処理装置１の小切手収納部１０は第１、第２収納ポケット１３、１４を備え、これらの前端部分は広幅とされ、その一方の隅に小切手送り込み用のローラ対２５、２６が配置されており、第２収納ポケット１４は第１収納ポケット１３に対して後方のΔＬだけ後退した状態で隣接配置されている。収納ポケット１３の広幅の前端面部分の後側のデッドスペースを利用して収納ポケット１４を配置でき、広幅の前端面部分の寸法によって小切手収納部１０の幅寸法が幅広に規定されてしまうことがない。収納ポケット１３のローラ対２５の押さえローラ５２に対して、隣接配置されている他方の収納ポケット１４、ローラ対２６の送り込みローラ６１が干渉することがなく、幅方向に広いスペースを確保する必要がない。【選択図】図３
2009029537.tif 000002
【特許請求の範囲】
【請求項１】
シート状媒体を収納するために、少なくとも、第１および第２収納ポケットが配置されており、
これら第１および第２収納ポケットは、全体として前後方向に長い長方形をした所定深さの溝からなり、
前記第１および第２収納ポケットの前端には、それぞれ、シート状媒体を各収納ポケット内に送り込むための第１ローラ対および第２ローラ対が配置されており、
前記第１および第２収納ポケットは、前記第１および第２ローラ対が前記前後方向にずれた配置関係となるように、前記前後方向にずれた状態で隣接配置されていることを特徴とするシート収納装置。
【請求項２】
請求項１に記載のシート収納装置において、
前記第１収納ポケットにおける前記第２収納ポケット側の側面の前端側部分には、当該第１収納ポケットの前端面に向かうに連れて前記第２収納ポケットの側に広がっている傾斜ガイド面が形成されており、当該傾斜ガイド面の前端部に前記第１ローラ対が配置されており、
前記第２収納ポケットは、前記第１収納ポケットの前記傾斜ガイド面の後端が位置する部位に、当該第２収納ポケットの前端が位置するように、後方にずれた位置に配置されていることを特徴とするシート収納装置。
【請求項３】
請求項２に記載のシート収納装置において、
前記第２収納ポケットにおける前記第１収納ポケットとは反対側の側面の前端側部分には、当該第２収納ポケットの前端面に向けて他方の側面から離れる方向に傾斜している傾斜ガイド面が形成されており、当該傾斜ガイド面の前端部に前記第２ローラ対が配置されていることを特徴とするシート収納装置。
【請求項４】
請求項３に記載のシート収納装置において、
前記第１収納ポケットの前記第１ローラ対に向けてシート状媒体を送り込むための送り込み通路と、この送り込み通路から分岐して前記第２収納ポケットのローラ対に向けてシート状媒体を送り込むための分岐通路とが形成されており、
前記分岐通路の分岐位置には、シート状媒体を前記第１および第２収納ポケットのいずれか一方に振り分けるための切換レバーが配置されており、
前記送り込み通路は、前記第１収納ポケットの前記第１ローラ対のニップ位置から、前記前後方向に直線状に延びている通路であり、
前記分岐通路は、前記切換レバーの側方を通って前記第２収納ポケットの前記第２ローラ対のニップ位置に至るように、前記前後方向に対して傾斜した方向に延びている通路であることを特徴とするシート収納装置。
【請求項５】
請求項４に記載のシート収納装置において、
前記第２収納ポケットの溝幅は前記第１収納ポケットの溝幅よりも狭いことを特徴とするシート収納装置。
【請求項６】
シート状媒体を搬送する搬送路と、
この搬送路に沿って搬送されるシート状媒体に担持されている情報の読取処理、および、当該シート状媒体への印刷処理のうちの少なくとも一方を行う媒体処理部と、
請求項１ないし５のうちのいずれかの項に記載のシート収納装置とを有することを特徴とする媒体処理装置。
【請求項７】
請求項６に記載の媒体処理装置において、
前記媒体処理部によって処理が正常に行われた後のシート状媒体が前記搬送路から前記第１収納ポケットに送り込まれて収納され、それ以外のシート状媒体が前記搬送路から前記第２収納ポケットに送り込まれて収納されることを特徴とする媒体処理装置。
【発明の詳細な説明】
【技術分野】
【０００１】
本発明は、小切手処理装置などの媒体処理装置に用いられるシート収納装置に関する。さらに詳しくは、処理結果等に応じてシート状媒体を複数の収納場所に振り分けて収納するシート収納装置に関するものである。
【背景技術】
【０００２】
シート状媒体を処理するための媒体処理装置としては小切手類を処理するための小切手処理装置が知られている。特許文献１、２にはかかる小切手処理装置が開示されている。これらの特許文献に開示されているように、小切手処理装置は、小切手類を挿入する供給部と、イメージスキャナおよび磁気ヘッドが配置された搬送路と、これらによって画像および磁気インク文字が読み取られた後に搬送路から排出される小切手類を一時保管する小切手収納部を備えている。
【０００３】
小切手収納部は、長さおよび幅の異なる小切手類を収納できるようにするために、一般に上方および後方が開口している一定幅の長方形の溝からなる収納ポケットからなり、搬送路から排出された小切手類が収納ポケットの溝内において幅方向に順次重なった状態で収納される。また、小切手類を振り分けて収納できるように、特許文献２においては、２つの収納ポケットが隣接配置されている。
【０００４】
さらに、特許文献２に開示されているように、収納ポケットに送り込まれる小切手類が、収納ポケットに既に収納されている小切手類に衝突しないように、収納ポケットの前端面における幅方向の隅から小切手類を送り込み、収納ポケット前端部に配置されているガイドによって、送り込まれた小切手類を、送り込み側とは反対側の側面に案内している。
【特許文献１】米国特許出願公開第２００４／０２５７６２６号公報
【特許文献２】特開２００４−２０６３６２号公報
【発明の開示】
【発明が解決しようとする課題】
【０００５】
ここで、複数の収納ポケットを備えた収納装置では、その幅方向の設置スペースとして、各収納ポケットの溝幅の合計に加えて、これらの収納ポケットに小切手類を送り込むためのローラ対を配置するスペースも必要になる。すなわち、各収納ポケットにおける小切手類の送り込み位置は前端面の隅に配置されており、ここに、小切手類を送り込むためのローラ対が配置されている。このため、ローラ対の一方のローラが収納ポケットの幅よりも横方に飛び出した状態に配置されることになる。この結果、特許文献２に開示されているような複数の収納ポケットを備えた小切手収納装置では、その幅方向の寸法が大きくなってしまい、小切手処理装置の小型化、コンパクト化の阻害要因となってしまう。
【０００６】
本発明の課題は、幅寸法の大幅な増加を招くことなく複数の収納ポケットを配置することのできるシート収納装置を提案することにある。
【０００７】
また、本発明の課題は、狭い幅寸法内に複数の収納ポケットが配置されているシート収納装置を備えた媒体処理装置を提案することにある。
【課題を解決するための手段】
【０００８】
上記の課題を解決するために、本発明のシート収納装置は、
シート状媒体が収納される、少なくとも、第１および第２収納ポケットを備えており、
これら第１および第２収納ポケットは、全体として前後方向に長い長方形をした所定深さの溝からなり、
各収納ポケットの前端には、それぞれ、シート状媒体を各収納ポケット内に送り込むための第１および第２ローラ対が配置されており、
各収納ポケットは、それぞれのローラ対が前後方向にずれた配置関係となるように、前記前後方向にずれた状態で隣接配置されていることを特徴としている。
【０００９】
本発明の収納装置では、各収納ポケットにシート状媒体を送り込むための各ローラ対が横方向に並ぶことの無い様に、各収納ポケットを前後にずらして配置してある。この配置関係を採用すると、一方の収納ポケットのローラ対に対して、隣接配置されている他方の収納ポケットあるいはローラ対が干渉することがない。よって、このような干渉を考慮して幅方向に広いスペースを確保する必要がなくなる。したがって、収納ポケットを単に隣接配置する場合に比べて、収納装置の幅方向の寸法増加を抑制できる。また、収納ポケットが前後にずれていると、目視により収納ポケットを直感的に識別でき、誤って別の収納ポケットに収納されているシート状媒体を取り出してしまうという誤操作の防止にも有効である。
【００１０】
さらに、シート収納装置、例えば小切手収納装置等においては、長さの異なる小切手類を収納するために、前後方向には十分なスペースが確保されている。よって、収納ポケットを前後方向にずらしたレイアウトを採用することが可能であり、また、このようにしても、前後方向の設置スペースの増加を招くことがない。
【００１１】
ここで、第１収納ポケットに送り込まれるシート状媒体が、当該第１収納ポケットに既に収納されているシート状媒体に衝突して送り込み動作に支障を来たすことの無い様に、第１収納ポケットの溝幅をその前端部分において一方に広げておき、広げられている前端の隅にローラ対を配置し、ここからシート状媒体を収納ポケット内に送り込み、送り込まれたシート状媒体を送り込み位置から離れるように幅方向に案内することが望ましい。
【００１２】
すなわち、前記第１収納ポケットにおける前記第収納２収納ポケット側の側面の前端側部分を、当該第１収納ポケットの前端面に向かうに連れて前記第２収納ポケットの側に広がっている傾斜ガイド面とし、当該傾斜ガイド面の前端部に前記第１ローラ対を配置しておくことが望ましい。この場合には、隣接配置される前記第２収納ポケットを、前記第１収納ポケットの前記傾斜ガイド面の後端が位置する部位に、当該第２収納ポケットの前端が位置するように、後方にずれた位置に配置すればよい。
【００１３】
このようにすれば、第１収納ポケットにおける広幅の前端部分の後側にできるデッドスペースを、第２収納ポケットの配置場所として利用でき、その分、収納装置の幅方向の寸法増加を抑制できる。
【００１４】
第２収納ポケットにおいても、そこに送り込まれるシート状媒体が、当該第２収納ポケットに既に収納されているシート状媒体に衝突することに無い様に、前記第２収納ポケットにおける前記第１収納ポケットとは反対側の側面の前端側部分を、当該第２収納ポケットの前端面に向けて他方の側面から離れる方向に傾斜している傾斜ガイド面とし、当該傾斜ガイド面の前端部に前記第２ローラ対を配置しておくことが望ましい。
【００１５】
また、本発明において、前記第１収納ポケットのローラ対に向けてシート状媒体を送り込むための送り込み通路と、この送り込み通路から分岐して前記第２収納ポケットのローラ対に向けてシート状媒体を送り込むための分岐通路とが形成され、前記分岐通路の分岐位置には、シート状媒体を前記第１および第２収納ポケットのいずれか一方に振り分けるための切換レバーが配置され、前記送り込み通路を、前記第１収納ポケットの前記第１ローラ対のニップ位置から、前記前後方向に直線状に延びている通路とし、前記分岐通路を、前記切換レバーの側方を通って前記第２収納ポケットの前記第２ローラ対のニップ位置に至るように、前記前後方向に対して傾斜した方向に延びている通路とすればよい。
【００１６】
この場合、切換レバーによってシート状媒体が振り分けられて収納される第２収納ポケットは、一般には収納枚数が少なくて済むので、その溝幅を前記第１収納ポケットの溝幅よりも狭くしておくことができる。また、このように溝幅を変えておくと、いずれの収納ポケットがメインの収納ポケットであるのかを目視により直感的に認識できる。よって、異なる収納ポケットに収納されているシート状媒体を取り出してしまうという誤操作を防止できる。
【００１７】
次に、本発明の媒体処理装置は、シート状媒体を搬送する搬送路と、この搬送路に沿って搬送されるシート状媒体に担持されている情報の読取処理、および、当該シート状媒体への印刷処理のうちの少なくとも一方を行う媒体処理部と、上記構成のシート収納装置とを有することを特徴としている。
【００１８】
ここで、前記媒体処理部によって処理が正常に行われた後のシート状媒体が前記搬送路から前記第１収納ポケットに送り込まれて収納され、それ以外のシート状媒体が前記搬送路から前記第２収納ポケットに送り込まれて収納されるようにすることができる。
【発明の効果】
【００１９】
本発明のシート収納装置では、各収納ポケットの前端に配置されているシート状媒体を送り込むためのローラ対が横方向に並ぶことの無い様に各収納ポケットを前後方向にずらして配置してある。これにより、複数の収納ポケットを備えた収納装置において、収納ポケットを単に隣接配置する場合に比べて、その所要幅寸法を小さくすることができる。よって、本発明の収納装置は、幅寸法の増加に制約のある卓上式の小切手処理装置などの媒体処理装置に用いるのに適している。
【発明を実施するための最良の形態】
【００２０】
以下に、図面を参照して、本発明を適用した小切手処理装置の実施の形態を説明する。
【００２１】
（全体構成）
図１は本実施の形態に係る小切手処理装置の斜視図であり、図２はその平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は小切手収納部１０に繋がっている。
【００２２】
小切手収納部１０は、小切手搬送路７の下流端に繋がっている細幅の垂直溝からなる送り込み通路１１と、この送り込み通路１１の上流端から分岐している分岐通路１２と、送り込み通路１１に繋がっている所定深さの長方形の垂直溝からなる第１収納ポケット１３と、分岐通路１２に繋がっている所定深さの長方形の垂直溝からなる第２収納ポケット１４を備えている。
【００２３】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００２４】
小切手搬送路７には、図２において点線で示すように、小切手６の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、そこに収納される。読取不能、読取異常などが発生した小切手６については、そのような印刷が行われることなく、第２収納ポケット１４に振り分けられて、そこに収納されるようになっている。
【００２５】
（小切手収納部）
図３は小切手処理装置１の小切手収納部１０の主要部分を示す概略平面構成図である。小切手収納部１０は、送り込み通路１１および分岐通路１２と、前後方向（小切手送り込み方向）に延びる仕切り壁１５を挟み、隣接配置された第１および第２収納ポケット１３、１４と、小切手６をこれらの収納ポケット１３、１４に振り分けるための切換レバー１６とを有している。
【００２６】
第１および第２収納ポケット１３、１４は、全体として前後方向（小切手送り込み方向）に長い長方形をした所定深さの垂直溝からなり、第１収納ポケット１３は溝幅が第２収納ポケット１４の溝幅よりも広く、小切手収納枚数が多い。各収納ポケット１３、１４の前端には、小切手６を各収納ポケット１３、１４内に送り込むためのローラ対２５、２６が配置されている。
【００２７】
第１収納ポケット１３は、前端面３１、平行に延びている左右の側面３２、３３、後端面３４および底面３５を備えている。第２収納ポケット１４の側の側面３３の前端側部分は、当該第１収納ポケット１３の前端面３１に向かうに連れて第２収納ポケット１４の側に広がっている傾斜ガイド面３６となっている。この傾斜ガイド面３６によって広幅となっている前端部分における第２収納ポケット側の隅の部分にローラ対２５が配置されている。
【００２８】
第２収納ポケット１４は、前端面４１、左右の側面４２、４３、後端面４４および底面４５を備えている。第１収納ポケット１３とは反対側の側面４３の前端側部分は、当該第２収納ポケット１４の前端面４１に向けて他方の側面４２から離れる方向に傾斜している傾斜ガイド面４６となっている。この傾斜ガイド面４６によって広幅となっている前端部分の隅にローラ対２６が配置されている。
【００２９】
第２収納ポケット１４は、前後方向において、第１収納ポケット１３の前記傾斜ガイド面３６の後端３６ａが位置する部位に、その前端面４１が位置するように、全体として後方にΔＬだけずれた位置に配置されている。したがって、第２収納ポケット１４は、第１収納ポケット１３の広幅の前端部分の後側に形成されるデッドスペースを利用して配置されている。
【００３０】
第１および第２収納ポケット１３、１４を前後方向にずらすことなく隣接配置した場合には、小切手収納部１０の幅は、少なくとも、双方の収納ポケット１３、１４の広幅の前端部分の幅寸法の合計以上の寸法とせざるを得ないが、本例の配置によれば、小切手収納部１０の幅を、広幅の前端部分の幅寸法の合計よりも狭い幅寸法に抑えることができる。
【００３１】
また、収納ポケット１３、１４を前後にずらすことにより、各前端部分に配置されている各ローラ対２５、２６が横に一列に並ぶことがない。この結果、小切手収納部１０の幅寸法が、各ローラ対２５、２６の設置スペースを確保するために大きくなってしまうこともない。
【００３２】
次に、第１収納ポケット１３に向けて小切手６を送り込むための送り込み通路１１は、小切手搬送路７の下流側の端部７ａに直線状に繋がっている前後方向に延びる通路であり、この送り込み通路１１の下流端はローラ対２５のニップ部に繋がっている。第２収納ポケット１４に向けて小切手６を送り込むための分岐通路１２は、小切手搬送路７の端部７ａから前後方向に対して鋭角に分岐した後ほぼ直線状に延びている傾斜通路であり、この分岐通路１２の下流端がローラ対２６のニップ部に繋がっている。
【００３３】
これらの送り込み通路１１および分岐通路１２の分岐位置に、小切手６を振り分けるための切換レバー１６が配置され、不図示のモータにより切り換え動作をする。切換レバー１６は通常は分岐通路１２を封鎖した状態に保持されており、小切手６が読取不能や読取異常になったときなど、必要に応じて送り込み通路１１を封鎖し、分岐通路１２を小切手搬送路７に連通させた切換状態に切り換わる。
【００３４】
第１収納ポケット１３のローラ対２５は、送り込みローラ５１と、ここに横方から押し付けられている押さえローラ５２とを備えている。第１収納ポケット１３の内部には、ローラ対２５の隣接位置に、送り込まれた小切手６を送り込みローラ５１の側に向けてガイドするための小切手ガイド５３が配置されている。小切手ガイド５３によって小切手６は送り込みローラ５１の外周面に押し付けられながら確実に第１収納ポケット１３の内部に送り込まれる。第１収納ポケット１３の内部に送り込まれた小切手６は、一方の側面３３から他方の側面３２に向けて後方に所定の角度で傾斜した状態に配置されている垂直押さえ板５４によって側面３２の側に押し付けられて重ねられた状態で収納される。
【００３５】
同様に、第２収納ポケット１４のローラ対２６も送り込みローラ６１と、ここに横方から押し付けられている押さえローラ６２とを備えている。第２収納ポケット１４の内部には、ローラ対２６の隣接位置に、送り込まれた小切手６を送り込みローラ６１の側に向けてガイドするための小切手ガイド６３が配置されている。小切手ガイド６３によって小切手６は送り込みローラ６１の外周面に押し付けられながら確実に第２収納ポケット１４の内部に送り込まれる。第１収納ポケット１４の内部に送り込まれた小切手６は、側面４３から他方の側面４２に向けて後方に所定の角度で傾斜した状態に配置されている垂直押さえ板６４によって側面４２の側に押し付けられて重ねられた状態で収納される。
【００３６】
なお、本例の小切手収納部１０では、収納ポケット１３、１４の後端部分が、後方に引き出し可能な引き出し部７０によって規定されている。この引き出し部７０を図１〜３に示す状態から後方に引き出すと、各収納ポケット１３、１４が前後方向に延びる。これにより、長い寸法の小切手類を受け入れて収納することができる。
【００３７】
（作用効果）
以上説明したように、小切手処理装置１の小切手収納部１０では、各収納ポケット１３、１４は、それらに送り込まれる小切手６が既に収納されている小切手６に衝突して送り込み不良が発生しないように、前端部分が広幅とされ、その隅に小切手６を送り込むためのローラ対２１、２２が配置されている。そして、これらの収納ポケット１３、１４は前後方向にΔＬだけずらして配置してある。
【００３８】
収納ポケット１３、１４を前後にずらして配置してあるので、一方の収納ポケット１３の広幅の前端面部分の後側のデッドスペースを利用して他方の収納ポケット１４を配置できる。この結果、広幅の前端面部分の寸法によって小切手収納部１０の幅寸法が幅広の寸法に規定されてしまうことがない。また、一方の収納ポケット１３から横方に突出した位置に配置されているローラ対２５の押さえローラ５２に対して、隣接配置されている他方の収納ポケット１４あるいはローラ対２６の送り込みローラ６１が干渉することがない。よって、このような干渉を考慮して幅方向に広いスペースを確保する必要がなくなる。したがって、収納ポケット１３、１４を単に隣接配置する場合に比べて、小切手収納部１０の幅方向の寸法増加を抑制できる。
【００３９】
さらに、収納ポケット１３、１４が前後にずれているので、目視により収納ポケットを直感的に識別でき、例えば、第１収納ポケット１３から小切手６を取り出すべきところを、誤って第２収納ポケット１４の側から正常処理が行われなかった小切手６を取り出してしまうといった誤操作も防止できる。
【００４０】
さらにまた、小切手収納部１０は、長さの異なる小切手類を収納できるようにするために、後方に引き出し可能となっている。よって、収納ポケット１３、１４を前後方向のずらしたとしても、小切手処理装置１の前後方向の長さ寸法の増加を招くことがない。
【００４１】
（その他の実施の形態）
なお、本発明は、小切手や手形、請求書などの小切手類以外のシート状媒体を処理するための媒体処理装置の収納装置として用いることができる。例えば、プリンタ、スキャナなどの媒体処理装置に搭載されるシート状媒体の収納装置として用いることができる。
【図面の簡単な説明】
【００４２】
【図１】本発明を適用した小切手処理装置の斜視図である。
【図２】図１の小切手処理装置の平面図である。
【図３】小切手処理装置の小切手収納部の主要部分を示す概略平面構成図である。
【符号の説明】
【００４３】
１  小切手処理装置、２  本体ケース、３  垂直軸、４，５  開閉カバー、６  小切手、７  小切手搬送路、８  小切手送り出し通路、９  小切手供給部、１０  小切手収納部、１１  送り込み通路、１２  分岐通路、１３  第１収納ポケット、１４  第２収納ポケット、１５  仕切り壁、１６  切換レバー、２１  表面側コンタクトイメージスキャナ、２２  裏面側コンタクトイメージスキャナ、２３  磁気ヘッド、２４  印刷機構、２５  ローラ対、２６  ローラ対、３１  前端面、３２，３３  側面、３４  後端面、３５  底面、３６ａ  後端部、４１  前端面、４２，４３  側面、４４  後端面、４５  底面、５１，６１  送り込みローラ、５２，６２  押さえローラ、５３，６４  小切手ガイド、５４，６４  垂直押さえ板、７０  引き出し部
【図１】
2009029537.tif 000003
【図２】
2009029537.tif 000004
【図３】
2009029537.tif 000005